(57)【要約】【課題】既存のカウンターキャリアにシャワー装置を支持する機能を付加して、シャワー装置の取付強度を容易に且つ低コストで高めること。【解決手段】バスルーム５の壁面６に、既存の浴室カウンターを片持ち状態で支持する複数個のカウンターキャリア７が設置されており、少なくとも１つのカウンターキャリア７に、既存の浴室カウンターに代えて、下端がバスルーム５の床面９にて支持される縦軸部１１と該カウンターキャリア７の上面に載設される水平部１２とを備えたシャワー取付部材１３を固定し、該シャワー取付部材１３に対してシャワー装置１を取り付けた構造である。【選択図】図１
2008005918.tif 000002
【特許請求の範囲】
【請求項１】
湯水を噴出するシャワー噴霧ノズルと、シャワーを浴びる際に着座する着座部とを一体に備えたシャワー装置をバスルームの壁面に取り付ける構造であって、バスルームの壁面には、既存の浴室カウンターを片持ち状態で支持する複数個のカウンターキャリアが設置されており、少なくとも１つのカウンターキャリアに、既存の浴室カウンターに代えて、下端がバスルームの床面にて支持される縦軸部と該カウンターキャリアの上面に載設される水平部とを備えたシャワー取付部材を固定し、該シャワー取付部材に対してシャワー装置を取り付けてなることを特徴とするシャワー装置の取付構造。
【請求項２】
上記シャワー装置には、着座部の側方に隣接配置されるシャワーカウンター部が一体に形成されており、該シャワーカウンター部を上記シャワー取付部材が固定されていない別のカウンターキャリアに取り付けたことを特徴とする請求項１記載のシャワー装置の取付構造。
【請求項３】
上記シャワー装置とは別体の既存の浴室カウンターをシャワー取付部材が固定されていない別のカウンターキャリアに取り付けると共に、該浴室カウンターと上記シャワー取付部材に取り付けられるシャワー装置とを互いに連結したことを特徴とする請求項１記載のシャワー装置の取付構造。
【発明の詳細な説明】
【技術分野】
【０００１】
本発明は、バスルームで使用するシャワー装置の取付構造に関するものである。
【背景技術】
【０００２】
一般に、バスルームの洗い場にハンドシャワーを設置し、ハンドシャワーを手に持って立位姿勢でシャワーを浴びているが、このようなシャワーでは、体の全体まで暖まりにくく、リラックスした気分が得られにくいという課題がある。
【０００３】
また、風呂椅子に腰掛けた姿勢で、身体を包み込むようなシャワー入浴を行なうためのシャワーノズルを備えたシャワー装置が一般に知られているが、風呂椅子は高さが低すぎるため、特に高齢者にとっては必要以上に腰を前方に曲げなければならず、無理な姿勢で使用することになり利便性が悪いものであり、また、風呂椅子を設けることで、元々狭いバスルームがより狭くなるという課題もあった。
【０００４】
そこで、従来から、バスルーム内に設置される浴室カウンターをシャワーを浴びる際に着座する着座部として利用できるようにしたシャワー装置が知られている（例えば、特許文献１参照）。
【０００５】
ここで、バスルーム５内に設置される浴室カウンター１０は、一般的に石鹸やシャンプーの置き台として使用されるものであって、人が着座することを考慮したものではなく、例えば図５に示すように、カウンターキャリア７は浴室カウンター１０を片持ち状態で支持しているにすぎず、しかも浴室カウンター１０の下方には入浴者の足を入れるスペースＳが設けられており、このような安定性及び支持強度的に不安がある浴室カウンター１０をそのままシャワー装置の着座部として使用することはできない。
【０００６】
そこで、前記特許文献１に見られる従来例では、図６に示すように、既存のカウンターキャリアに代えて、取付強度の高い角パイプからなるＬ型金具８を取り付け、このＬ型金具８にシャワー装置１´の着座部となる浴室カウンター１０を固定している。このＬ型金具８は壁面６とバスルーム５の洗い場１６の床面９に対してそれぞれ固定されており、大きな荷重に耐え得る浴室カウンター１０を得るようにしている。
【０００７】
ところが、この従来例では、壁面６に設置される既存のカウンターキャリアまで交換する必要があり、取り替え工事に手間がかかるうえに、コストアップを招くという課題を有している。
【特許文献１】特開２００１−１３７１４７号公報
【発明の開示】
【発明が解決しようとする課題】
【０００８】
本発明は上記の従来の問題点に鑑みて発明したものであって、既存のカウンターキャリアにシャワー装置を支持する機能を付加することができ、これにより、従来のようにカウンターキャリアを取り替える手間をなくすことができ、容易に且つ低コストで取付強度を高めることが可能なシャワー装置の取付構造を提供することを課題とするものである。
【課題を解決するための手段】
【０００９】
前記課題を解決するために本発明は、湯水を噴出するシャワー噴霧ノズル３と、シャワーを浴びる際に着座する着座部２とを一体に備えたシャワー装置１をバスルーム５の壁面６に取り付ける構造であって、バスルーム５の壁面６には、既存の浴室カウンターを片持ち状態で支持する複数個のカウンターキャリア７が設置されており、少なくとも１つのカウンターキャリア７に、既存の浴室カウンターに代えて、下端がバスルーム５の床面９にて支持される縦軸部１１と該カウンターキャリア７の上面に載設される水平部１２とを備えたシャワー取付部材１３を固定し、該シャワー取付部材１３に対してシャワー装置１を取り付けてなることを特徴としている。
【００１０】
このような構成とすることで、シャワー装置１の着座部２にかかる人体の荷重がカウンターキャリア７だけに集中せず、シャワー取付部材１３の縦軸部１１を介してバスルーム５の床面９で支持されるので、構造的にきわめて安全となる。そのうえ、既存のカウンターキャリア７を取り替えることなくそのまま使用できるので、カウンターキャリア７を取り替える手間をなくしてコストダウンを図ることができる。
【００１１】
また、上記シャワー装置１には、着座部２の側方に隣接配置されるシャワーカウンター部１４が一体に形成されており、該シャワーカウンター部１４を上記シャワー取付部材１３が固定されていない別のカウンターキャリア７に取り付けるのが好ましく、この場合、シャワー入浴時に着座部２の側方に設けたシャワーカウンター部１４を使用できるので、シャワー装置１の機能アップを図ることができる。
【００１２】
また、上記シャワー装置１とは別体の既存の浴室カウンター１０をシャワー取付部材１３が固定されていない別のカウンターキャリア７に取り付けると共に、該浴室カウンター１０と上記シャワー取付部材１３に取り付けられるシャワー装置１とを互いに連結するのが好ましく、この場合、シャワー入浴時に既存の浴室カウンター１０をシャワーカウンターとしても有効に使用できるので、シャワー装置１の機能アップが図られると共に、シャワー入浴をしないときは、浴室カウンター１０をシャンプーやリンス等の置き台として使用でき、利便性が向上する。
【発明の効果】
【００１３】
本発明は、既存の浴室カウンターを片持ち状態で支持するカウンターキャリアに対して、既存の浴室カウンターに代えて、バスルームの床面にて支持される縦軸部と該カウンターキャリアの上面に載設される水平部とを備えたシャワー取付部材を固定し、このシャワー取付部材にシャワー装置を取り付けることにより、既存のカウンターキャリアがシャワー装置を支持する機能を持つようになり、この結果、堅牢で且つ安定した座り心地を有するシャワー装置の取り付け構造を容易に且つ低コストで実現できるものである。
【発明を実施するための最良の形態】
【００１４】
以下、本発明を添付図面に示す実施形態に基いて説明する。
【００１５】
本実施形態のバスルーム５は、図１に示すように、浴槽１５と洗い場１６とから構成されており、洗い場１６の壁面６に沿わせてシャワー装置１が設置されている。
【００１６】
洗い場１６の壁面６には、既存の浴室カウンター１０を片持ち状態で支持するための複数個のカウンターキャリア７が設置されている。図２（ａ）に示す例では３個のカウンターキャリア７ａ，７ｂ，７ｂが横並びに設置されている。中央のカウンターキャリア７ａは、水平板１７と、水平板１７の両側端部から下方に垂下する左右一対の垂直片１８と、各垂直片１８の後端に連設されて壁面６に固定具にて固定される左右一対の固定片１９とが一体に形成されており、水平板１７及び垂直片１８にはビス穴２０，２１が設けられており、後述するシャワー取付部材１３がビス連結により固定されることで、中央のカウンターキャリア７ａがシャワー装置１を支持する機能を持つようになる。
【００１７】
なお、左右のカウンターキャリア７ｂ，７ｂは、幅狭の水平片１７ａと、水平片１７ａの一側端部から下方に垂下する垂直片１８ａと、垂直片１８の後端に連設されて壁面６に固定具にて固定される固定片１９ａとが一体に形成されたものであり、これら左右のカウンターキャリア７ｂ，７ｂには、シャワー取付部材１３は固定されず、後述するシャワー装置１に一体化されたシャワーカウンター部１４を取り付けたり、或いはシャワー装置１とは別体の浴室カウンター１０を取り付けるために用いられる。
【００１８】
上記中央のカウンターキャリア７ａには、既存の浴室カウンターに代えて、図２（ｂ）に示すように、シャワー取付部材１３が固定される。このシャワー取付部材１３は、下端がバスルーム５の床面９にて支持される左右一対の縦軸部１１と、中央のカウンターキャリア７ａの上面に載設される水平部１２とが一体に形成されている。水平部１２は、一対の縦軸部１１の上端にそれぞれ連なる左右一対の横軸部１２ａと、横軸部１２ａの前端部同士を互いに連結する連結軸１２ｂとで構成されている。また本例では中央のカウンターキャリア７ａの前方への突出幅Ａ（図２（ｂ））よりも、水平部１２の前方への突出幅Ｂ（＞Ａ）を長くすることで、シャワー装置１の着座部２を安定支持できるようにしている。さらに中央のカウンターキャリア７ａに対するシャワー取付部材１３の固定は例えばビス２５による連結で行なわれる。
【００１９】
上記シャワー取付部材１３には、図１に示すように、シャワー装置１が取り付けられる。シャワー装置１は、入浴者が着座する着座部２と、背もたれ部４と、湯水を噴出するノズルアーム２６とが一体に設けられている。このシャワー装置１のシャワー取付部材１３への取り付けは、例えば着座部２をシャワー取付部材１３の水平部１２に対してビス連結することにより行なわれる。
【００２０】
なお、着座部２の高さは、一般成人の膝から踵までの距離とほぼ同じ高さとされるのが望ましい。さらに着座部２を浴槽１５上縁面とほぼ同じ高さで連なるようにするのが望ましい。また、着座部２の周縁部から下方に向けてスカート部６０が垂設されており、このスカート部６０によってシャワー取付部材１３が覆い隠されている。
【００２１】
また本例では、着座部２の両側方に隣接配置される左右一対のシャワーカウンター部１４がシャワー装置１と一体に形成されており、各シャワーカウンター部１４を上記シャワー取付部材１３が固定されていない左右のカウンターキャリア７ｂに取り付けるようにしている。シャワーカウンター部１４は、天板部１４ａと幕板部１４ｂと底板部１４ｃとが側面視コ字状に形成されており、例えば幕板部１４ｂにカランを取り付け、シャワーカウンター部１４の内部にカランに至るカラン配管や、シャワー装置１に至るシャワー配管を配管するようにしてもよい。このシャワーカウンター部１４のカウンターキャリア７ｂへの取り付けは、例えばシャワーカウンター部１４の天板部１４ａをカウンターキャリア７ｂの水平片１７ａ（図２（ａ））に対してビス連結することにより行なわれる。
【００２２】
上記着座部２の後端から上方に背もたれ部４が立設されている。本例の背もたれ部４は、例えば、図４に示すように、三面鏡３０で構成されており、シャワー入浴をするときには、三面鏡３０を閉じた状態（図４（ｂ）（ｃ）の状態）にして、扉の裏面を背もたれ部４として使用できるようになっている。
【００２３】
背もたれ部４の上端部の左右両サイドには、左右一対のノズルアーム２６が上下回動自在に枢支されている。各ノズルアーム２６にはそれぞれ複数のシャワー噴霧ノズル３（図４（ｂ），（ｃ））が設けられている。各シャワー噴霧ノズル３は、図示省略した接続管を介して浴室外に設置した給湯器と連通しており、給湯器から湯水が供給できる構成となっている。また各シャワー噴霧ノズル３は、例えば、一般のシャワーノズルより穴径を小さくし、かつ湯水を旋回して噴出することにより霧状に噴霧できるようにしている。さらにシャワー噴霧ノズルは、入浴者の身体に最適な方向に噴出するため設置角度が調節可能な構成となっている。
【００２４】
さらに背もたれ部４の両サイドにはシャワー噴霧ノズル３とは別のシャワーノズル２７（図４）が設けられており、強めの水流を肩や腰に向かって噴出する打たせ湯気分のシャワー入浴ができるようにしている。
【００２５】
しかして、上記シャワー装置１を洗い場１６の壁面６に取り付けるにあたって、先ず、中央のカウンターキャリア７ａに対してシャワー取付部材１３を固定し、このシャワー取付部材１３に対してシャワー装置１を取り付けるようにしたので、シャワー装置１の着座部２に着座した際にかかる人体の荷重がカウンターキャリア７ａに集中せずに、シャワー取付部材１３の縦軸部１１を介して洗い場１６の床面９にて受け止められるので、堅牢で且つ安定した座り心地を有するシャワー装置１の取り付け構造を実現できるものである。
【００２６】
しかも既存のカウンターキャリア７ａをそのまま使用できるので、従来のようにカウンターキャリア７を取り替える手間をなくすことができ、コストダウンを図ることができる。
【００２７】
また、シャワー入浴時に、ノズルアーム２６を任意の角度に調整することで、体形の異なる入浴者とシャワー噴霧ノズル３との位置関係が極端に広がったり、また狭くなったりすることがなくなり、快適で効率的なシャワー入浴ができるようになる。そのうえシャワーが身体を包み込み、万遍なく熱交換を行なうので温熱効果が短時間に得られると同時に、バスタブ入浴のような静水圧作用がないため入浴者の身体への負担を軽減できるものである。
【００２８】
一方、シャワー入浴をしないときは、シャワー装置１の着座部２を浴室カウンター１０として使用でき、しかも、ノズルアーム２６を下ろした状態で三面鏡３０を図4（ｃ）のように開くことで、ノズルアーム２６が三面鏡３０の背後に隠されるようになり、デザイン的にもスマートになると共に、三面鏡３０を開いてそのミラー面を浴室用鏡として使用できるようになる。
【００２９】
さらに、着座部２を浴槽１５上縁面とほぼ同じ高さで連なる高さにしているので、浴槽１５から着座部２への乗り移り動作、及び、着座部２から浴槽１５への移り動作をスムーズに行なうことができる。つまり、入浴者は着座部２で楽に着座したまま体を洗い、その姿勢のままで臀部をずらすことにより浴槽１５への入浴ができるようになり、一方、浴槽１５へ入浴したあと洗い場１６側へ出る場合も、入浴者は浴槽１５上縁面に腰掛けた状態から臀部をずらして着座部２に移動することができるので、安全性と利便性が格段に向上する。
【００３０】
また本例では、シャワー装置１に、着座部２の側方に隣接配置されるシャワーカウンター部１４が一体に形成されており、このシャワーカウンター部１４を上記シャワー取付部材１３が固定されていない左右のカウンターキャリア７ｂに取り付けているので、シャワー入浴時には着座部２の側方に隣接配置されるシャワーカウンター部１４を使用できるので、シャワー装置１の機能アップを図ることができるものであり、またシャワー入浴をしないときは、シャワーカウンター部１４をシャンプーやリンス等の置き台として使用でき、利便性が良くなる利点もある。
【００３１】
図３は本発明の他の実施形態であり、シャワー取付部材１３が固定されていない左右のカウンターキャリア７ｂに既存の浴室カウンター１０を取り付けると共に、既存の浴室カウンター１０と上記シャワー取付部材１３に取り付けられるシャワー装置１とを互いに連結したものである。他の構成は図１、図２の実施形態と同様であり、対応する部分には同一符号を付して詳しい説明は省略する。本例では既存の浴室カウンター１０を左右２つに分割し、各浴室カウンター１０を左右のカウンターキャリア７ｂにそれぞれ取り付けている。そして、左右の浴室カウンター１０の間に、中央のカウンターキャリア７ａとこれに取り付けられるシャワー取付部材１３とが配置されると共に、シャワー装置１の着座部２を左右の浴室カウンター１０と面一状に連続して形成できるようにしている。なお浴室カウンター１０は、天板部１０ａと幕板部１０ｂと底板部１０ｃとが側面視コ字状に形成されており、例えば幕板部１０ｂにカランを取り付け、浴室カウンター１０内部にカランに至るカラン配管や、シャワー装置１に至るシャワー配管を配管するようにしてもよい。しかして、シャワー入浴時には、既存の浴室カウンター１０をシャワーカウンターとしても有効に使用できるようになるので、シャワー装置１の機能アップが図られる。またシャワー入浴をしないときは、浴室カウンター１０をシャンプーやリンス等の置き台として使用でき、利便性が良くなる。
【００３２】
前記各実施形態ではシャワー装置１の背もたれ部４として三面鏡３０を利用したが、勿論これに限らず、三面鏡以外の背もたれを設けたものであってもよい。
【図面の簡単な説明】
【００３３】
【図１】本発明のシャワー装置の取付構造の一例を示す斜視図である。
【図２】（ａ）は同上の既存のカウンターキャリアの取り付け状態を説明する斜視図、（ｂ）は中央のカウンターキャリアに対してシャワー取付部材を固定した状態の斜視図である。
【図３】（ａ）（ｂ）は本発明の他の実施形態の斜視図である。
【図４】（ａ）〜（ｃ）は同上の背もたれ部の一例を説明する斜視図である。
【図５】従来の浴室カウンターをカウンターキャリアで支持した構造を説明する斜視図である。
【図６】他の従来例を示し、（ａ）はＬ型金具を壁面と床面に固定した状態の説明図、（ｂ）はＬ型金具にて支持された浴室カウンターをシャワー装置の着座部として使用する場合の説明図である。
【符号の説明】
【００３４】
１  シャワー装置
２  着座部
３  シャワー噴霧ノズル
５  バスルーム
６  壁面
７  カウンターキャリア
９  床面
１０  既存の浴室カウンター
１１  縦軸部
１２  水平部
１３  シャワー取付部材
１４  シャワーカウンター部
【図１】
2008005918.tif 000003
【図２】
2008005918.tif 000004
【図３】
2008005918.tif 000005
【図４】
2008005918.tif 000006
【図５】
2008005918.tif 000007
【図６】
2008005918.tif 000008